(57)【要約】      （修正有）【課題】軽量でシンプルな構造で、設置・収納が容易かつ、ボールの衝撃音が小さいテニスのボレー練習具を提供する。【解決手段】横枠２と縦枠３を有し、横枠２と縦枠３の内側に沿ってフランジが設けられ、このフランジの多数のガット糸通し穴に、それぞれ合成ゴムチューブ１５ｂがはめこまれ、これらの合成ゴムチューブ１５ｂに合成繊維糸１５ｃを通して、フランジに囲まれた部分にネットを形成した構造の反発ネット１を備えた。ボールの反発速度が速く、合成繊維糸を支える合成ゴムチューブが、ボールの衝撃振動を吸収させ、衝撃音を小さくすることができる。【選択図】図１
0003150962.tif 000002
【実用新案登録請求の範囲】
【請求項１】
横枠と縦枠を有し、前記横枠と縦枠の内側に沿ってフランジが設けられ、このフランジの多数のガット糸通し穴に、それぞれ合成ゴムチューブがはめこまれ、これらの合成ゴムチューブに合成繊維糸を通して、前記フランジに囲まれた部分にネットを形成した構造の反発ネットを備えたことを特徴とするテニスのボレー練習用具。
【請求項２】
請求項１に記載のテニスのボレー練習用具において、
前記反発ネットの縦枠を所定長の支柱で支持し、前記縦枠は前記支柱に対して軸と傾斜角度調整金具部材を使用して支持されており、前記縦枠は前記軸に対して自由に傾斜するように支持され、前記傾斜角度調整金具部材は、傾斜した状態の前記縦枠を前記支柱に固定する手段を備えたことを特徴とするテニスのボレー練習用具。
【請求項３】
請求項１または２に記載のテニスのボレー練習用具において、
前記反発ネットの縦枠を支持する左右の支柱には、地面に接する部分に支柱支え台が回転可能に連結されており、前記支柱支え台は棒状であって、前記支柱を地面に対して直立させたとき前記支柱支え台は地面に平行に向けた状態で使用され、前記支柱に対して同方向に向けた状態で収納されることを特徴とするテニスのボレー練習用具。
【請求項４】
請求項１乃至３のいずれかに記載のテニスのボレー練習用具において、
前記支柱支え台には、前記反発ネットを支持していない状態の前記支柱を直立させた状態で、地面に平行な面上で前記支柱支え台とほぼ直角に交叉する補強部材が、回転可能に連結されており、前記支柱を地面に対して直立させたとき前記支柱支え台と補強部材は直角に交叉した状態で使用され、前記支柱支え台と補強部材を同方向に向けた状態で収納されることを特徴とするテニスのボレー練習用具。
【請求項５】
請求項１乃至４のいずれかに記載のテニスのボレー練習用具において、
反発ネット枠の背面に横バーを設けて、ボール飛散防止シート又は網を垂らすように構成したことを特徴とするテニスのボレー練習用具。
【請求項６】
請求項１乃至５のいずれかに記載のテニスのボレー練習用具において、
反発ネット枠に壁掛け用具を取付けたことを特徴とするテニスのボレー練習用具。
【考案の詳細な説明】
【技術分野】
【０００１】
本考案は、一人で狭い場所でも練習することが可能なテニスのボレー練習用具に関する。
【背景技術】
【０００２】
跳ね返し板を使用して一人で練習するテニスのボレー練習具が知られている（特許文献１参照）。
【先行技術文献】
【特許文献】
【０００３】
【特許文献１】特開２００４−１６０１１５号
【考案の概要】
【考案が解決しようとする課題】
【０００４】
特許文献１に紹介されたような従来品は、跳ね返し板が合板でありボールによる衝撃音が大きく構造が複雑で重量が重い。また、ボールの跳ね返り速度が遅いという問題があった。上記の課題を解決するために、本考案は次のようなテニスのボレー練習用具を提供することを目的とする。
（１）軽量でシンプルな構造にする。
（２）製作が容易で、設置・収納が容易なものにする。
（３）ボールの衝撃音が小さい練習具にする。
【課題を解決するための手段】
【０００５】
以下の構成はそれぞれ上記の課題を解決するための手段である。
〈構成１〉
横枠と縦枠を有し、前記横枠と縦枠の内側に沿ってフランジが設けられ、このフランジの多数のガット糸通し穴に、それぞれ合成ゴムチューブがはめこまれ、これらの合成ゴムチューブに合成繊維糸を通して、前記フランジに囲まれた部分にネットを形成した構造の反発ネットを備えたことを特徴とするテニスのボレー練習用具。
【０００６】
〈構成２〉
構成１に記載のテニスのボレー練習用具において、前記反発ネットの縦枠を所定長の支柱で支持し、前記縦枠は前記支柱に対して軸と傾斜角度調整金具部材を使用して支持されており、前記縦枠は前記軸に対して自由に傾斜するように支持され、前記傾斜角度調整金具部材は、傾斜した状態の前記縦枠を前記支柱に固定する手段を備えたことを特徴とするテニスのボレー練習用具。
【０００７】
〈構成３〉
構成１または２に記載のテニスのボレー練習用具において、前記反発ネットの縦枠を支持する左右の支柱には、地面に接する部分に支柱支え台が回転可能に連結されており、前記支柱支え台は棒状であって、前記支柱を地面に対して直立させたとき前記支柱支え台は地面に平行に向けた状態で使用され、前記支柱に対して同方向に向けた状態で収納されることを特徴とするテニスのボレー練習用具。
【０００８】
〈構成４〉
構成１乃至３のいずれかに記載のテニスのボレー練習用具において、前記支柱支え台には、前記反発ネットを支持していない状態の前記支柱を直立させた状態で、地面に平行な面上で前記支柱支え台とほぼ直角に交叉する補強部材が、回転可能に連結されており、前記支柱を地面に対して直立させたとき前記支柱支え台と補強部材は直角に交叉した状態で使用され、前記支柱支え台と補強部材を同方向に向けた状態で収納されることを特徴とするテニスのボレー練習用具。
【０００９】
〈構成５〉
構成１乃至４のいずれかに記載のテニスのボレー練習用具において、反発ネット枠の背面に横バーを設けて、ボール飛散防止シート又は網を垂らすように構成したことを特徴とするテニスのボレー練習用具。
【００１０】
〈構成６〉
構成１乃至４のいずれかに記載のテニスのボレー練習用具において、反発ネット枠に壁掛け用具を取付けたことを特徴とするテニスのボレー練習用具。
【考案の効果】
【００１１】
〈構成１の効果〉
フランジに囲まれた部分に合成繊維糸でネットを構成し、これにボールを当てるようにしたので、ボールの反発速度が速い。合成繊維糸を支える合成ゴムチューブが、ボールの衝撃振動を吸収させ、衝撃音を小さくすることができる。
〈構成２の効果〉
傾斜角度調整金具部材により、反発ネットの面を傾斜させて、ボールの反発方向を最適な方向に調整できる。
〈構成３の効果〉
支柱に、支柱支え台が回転可能に連結されており、支柱支え台は地面に接し、支柱を直立させる。また支柱に対して同方向に向けた状態にすると、持ち運びに便利な状態になる。
〈構成４の効果〉
支柱支え台と補強部材によって左右の支柱が自立するので、一人でも全体を組み立てることができる。
〈構成５の効果〉
反発ネット枠の背面にボール飛散防止シート又は網を垂らすと、反発ネット枠に当たらなかったボールを強制的に落下させてネット下に集めることができる。
〈構成６の効果〉
反発ネット枠を壁掛け式に使用することで、さらに使いやすいものになる。
【図面の簡単な説明】
【００１２】
【図１】前部側から見た斜視図。
【図２】前部側から見た正面図。
【図３】左側面図。
【図４】台・補強部材を取外時の背面図・右側面図。
【図５】真上から見た平面図。
【図６】反発ネット枠の背面図。
【図７】左側支柱・台・補強部材を折り畳んだ状態の正面図・左側面図・右側面図。
【図８】反発ネットのフレーム用パイプとその連結部材の分解斜視図。
【図９】反発ネットの傾斜角度調整部材分解斜視図。
【図１０】図９、A−Aの拡大図。
【図１１】図７、A−A、A’−A’、共用の断面分解斜視図。
【図１２】壁掛用具の斜視図。
【考案を実施するための形態】
【００１３】
以下、本考案の実施の形態を実施例毎に詳細に説明する。
【００１４】
図１は本考案のボレー練習具を前面部側から見た斜視図、図２は同じく平面図、図３は同じく反発ネットの傾斜角度を示す側面図、図４は同じく支柱を支える台を外した後面部からの平面図と側面図、図５は同じく真上から見た平面図、図６は同じく反発ネット枠の裏面から見た背面図、図７は同じく柱と支柱支え台の折り畳み状態の図、図８は同じく反発ネット用枠のアルミ合金パイプと連結部材の分解斜視図、図９は同じく反発ネットの傾斜角度調整部分の分解斜視図、図１０は図９の反発ネット部分A―Aの拡大図面、図１１は図７のA―A・A’―A’の断面分解斜視図、図１２は壁掛用具の斜視図である。
【実施例１】
【００１５】
図１に示すように、本考案のボレー練習具は、横枠２と縦枠３を有し、横枠２と縦枠３の内側に沿ってフランジ２ａ（図８）が設けられている。このフランジ２ａの多数のゴムチューブ通し穴１５ａに、それぞれ合成ゴムチューブ１５ｂがはめこまれ、これらの合成ゴムチューブ１５ｂに合成繊維糸１５ｃを通し、フランジに囲まれた部分にネットを形成する。こうして、一枚の反発ネット１を垂直に設定する。図８の様に、横枠２と縦枠３のパイプとは、連結部材４を用いて組込まれる。
【００１６】
このテニスのボレー練習具は、練習者がボレーしたボールを合成繊維糸でガット張りにした一枚の反発ネット（例えば、高さ約９０cm、巾は約１２０cm）で跳ね返すためボールの跳ね返り速度が速く実戦に近いボレー練習ができる。ガットが劣化して切れても合成樹脂繊維で一本一本簡単に修理することができる。
【００１７】
反発ネットは合成繊維糸１５cを柔軟なゴムチューブ１５bの中を通しボールによる衝撃振動音を減少させるため音も静かでボレーの練習が出来る。ボールの衝撃振動と共振を減少させるために、例えば、シリコーンゴム製チューブ管を使用するとよい。
【００１８】
図１に示すように、ボレー練習具は反発ネット１を左右の支柱５で固定させ支柱５は支え台６と補強部材８により安定させている。支柱支え台６,の補強部材８,９,は反発ネット１,を一人で組込と分離時に支柱５,の転倒防止のため役立つ。反発ネット１の縦枠３を支柱５で支持し、縦枠３は支柱５に対して軸と傾斜角度調整金具部材を使用して支持されている。傾斜角軸ボルト穴１２aが軸になる。傾斜角度調整金具１３a,１３bが傾斜角度調整金具部材である。縦枠３は軸に対して自由に傾斜するように支持される。傾斜角度調整金具部材は、傾斜した状態の縦枠を支柱に固定する手段を備える。即ち、図３と図９に示す構造により、傾斜角度を支柱５,の傾斜角度調整金具１３a,１３b,と傾斜角軸ボルト穴１２aにより調整できる。反発ネット１,の傾斜角度は蝶ナットを緩め移動し締付で設定のため簡単で微調整ができる。
【実施例２】
【００１９】
反発ネット１の縦枠３を支持する左右の支柱５には、地面に接する部分に支柱支え台６が回転可能に連結されている。支柱支え台６は棒状であって、支柱５を地面に対して直立させたとき支柱支え台６は地面に平行に向けた状態で使用される。支柱５に対して支柱支え台６を同方向に向けた状態で収納できる。
【００２０】
支柱支え台６,と補強部材７,は支柱５,から連結用ボルト蝶ナット１１,で簡単に分離できる。反発ネット枠固定用の左右の支柱５と支え台６を木材にすると軽量でそれぞれ一本の棒状に簡単に折畳みができ持ち運びと組立設置が楽に出来る。従って、図１に示したテニスのボレー練習具は、図５の反発ネットと図７の支え柱台とボール飛散防止シート垂らし部材の全４点で持ち運びが容易に出来る。
【００２１】
また、支柱支え台６には、反発ネット１を支持していない状態の支柱５を直立させた状態で、地面に平行な面上で支柱支え台６とほぼ直角に交叉する補強部材９が、回転可能に連結されている。支柱５を地面に対して直立させたとき、支柱支え台６と補強部材９は直角に交叉した状態で使用される。また、支柱支え台６と補強部材９を同方向に向けた状態で収納できる。
【００２２】
即ち、図５はボレー練習具の真上から見た図面で、図１１に示した構造により補強部材８、９を回転させて補強部材８、９の溝を支え台６の下部にはめ込ませてロックする。支柱支え台６と補強部材９によって左右の支柱５が単独で転倒せず、反発ネットを支柱に組み込むのを一人だけで簡単に出来る。
【００２３】
本考案のボレー練習具には、以上の他にも特徴がある。図４は壁掛での仕様で、図１２の左右共用の壁掛用具１８を支柱５に取付けてボレー練習が可能である。また、ボレー練習具を据え置で練習する場合は、台の下にボールでの衝撃で滑り移動しないよう、特にフローリング床の場合は衝撃吸収のため柔らかい滑り止めマットを敷くことができる。反発ネットを大型にする場合は支柱・支柱支え台・補強部材に金属を使用した方がボールの衝撃による影響が抑えられる。
【実施例３】
【００２４】
ボール飛散防止シート１６dは、反発ネット１の真上に支柱１の上部穴１６aで立てられたポール１６bと横棒１６cで吊るされる。ボール飛散防止シート１６は打ったボールが反発ネットをはずした場合シートによって付近にボールが止まる。反発ネット１の背面には、ボール飛散防止用シート１６ｄを、横棒１６ｃから地面まで垂らしている。ボール飛散防止用シート１６ｄを地面上で束ねておけば、ボールの多数はボール飛散防止用シート１６ｄ上に留める事が可能である。部材はすべて園芸材料等を使用でき、安価に製造できる。
【符号の説明】
【００２５】
１  反発ネット
２  横枠パイプ
２a  フランジ
３  縦枠パイプ
３a  フランジ
４  パイプ連結部材
５  支柱
６a、６b  支柱支え台
７  補強部材
８  補強部材
９  補強部材
１０  落し棒
１１  連結用ボルト蝶ナット
１２  連結傾斜角軸ボルト蝶ナット
１２a  傾斜角軸ボルト穴
１３  ボルト蝶ナット
１３a、１３b  傾斜角度調整部材
１４  ボルト蝶ナット
１５a  ゴムチューブ通し穴
１５b  合成ゴムチューブ
１５c  合成繊維糸
１６a  ボール飛散防止シート用ポール穴
１６b  ポール
１６c  横棒
１６d  ボール飛散防止シート
１７  連結用ボルトナット
１７a  スプリング
１７b  ワッシャー
１８  壁掛け用具
【図１】
0003150962.tif 000003
【図２】
0003150962.tif 000004
【図３】
0003150962.tif 000005
【図４】
0003150962.tif 000006
【図５】
0003150962.tif 000007
【図６】
0003150962.tif 000008
【図７】
0003150962.tif 000009
【図８】
0003150962.tif 000010
【図９】
0003150962.tif 000011
【図１０】
0003150962.tif 000012
【図１１】
0003150962.tif 000013
【図１２】
0003150962.tif 000014